(57)【要約】【課題】装置に搭載されたデバイスをより正確に判別して、そのデバイスに応じた設定を行うことができるデバイス自動判別装置及びデバイス自動判別方法を実現する。【解決手段】テレビジョン受信装置１０は、その装置１０に搭載されたチューナ２に、少なくとも２種類の確認信号を出力し、その確認信号に応じてチューナ２が出力した応答データを取得することができ、その取得した応答データが予め登録されている所定のデバイスに対応する応答データであると判断することができた場合に、そのテレビジョン受信装置１０に搭載されているチューナ２が所定のチューナであると判別することができ、テレビジョン受信装置１０における設定をそのチューナ２に対応する設定に切り替えて、そのチューナ２が好適に機能する設定とし、そのテレビジョン受信装置１０が良好に動作することを可能にした。【選択図】図１
2008078782.tif 000002
【特許請求の範囲】
【請求項１】
装置に搭載されたデバイスに、少なくとも２種類の確認信号を出力する確認信号出力手段と、
前記確認信号出力手段により出力された確認信号に応じて、前記デバイスが出力した応答データを取得する応答データ取得手段と、
前記応答データ取得手段により取得された応答データが、予め登録されているデバイスに対応する応答データであるか否かを判断する判断手段と、
前記判断手段が、少なくとも２種類の確認信号に応じた応答データが、予め登録されている所定のデバイスに対応する応答データであると判断した場合に、前記デバイスが所定のデバイスであると判別して、前記装置における設定をそのデバイスに対応する設定に切り替えるデバイス設定制御手段と、
を備えることを特徴とするデバイス自動判別装置。
【請求項２】
装置に搭載されたデバイスの種別を自動判別するデバイス自動判別方法であって、
装置に搭載されたデバイスに、少なくとも２種類の確認信号を出力する確認信号出力工程と、
前記確認信号出力工程において出力された確認信号に応じて、前記デバイスが出力した応答データを取得する応答データ取得工程と、
前記応答データ取得工程において取得された応答データが、予め登録されているデバイスに対応する応答データであるか否かを判断する判断工程と、
前記判断工程において、少なくとも２種類の確認信号に応じた応答データが、予め登録されている所定のデバイスに対応する応答データであると判断された場合に、前記デバイスが所定のデバイスであると判別して、前記装置における設定をそのデバイスに対応する設定に切り替えるデバイス設定工程と、
を備えることを特徴とするデバイス自動判別方法。
【発明の詳細な説明】
【技術分野】
【０００１】
本発明は、デバイス自動判別装置及びデバイス自動判別方法に関する。
【背景技術】
【０００２】
従来、同一モデル（品番）の電子機器（例えば、テレビ）であっても、その電子機器に搭載するデバイス（例えば、チューナ）に複数メーカーのデバイスを採用して使用することがある。
そして、各メーカー毎にそのデバイスの仕様が異なる場合は、作業者が電子機器に対してそのメーカーのデバイスに合わせた設定入力を行い、そのデバイスが正常に機能するように調整する必要があった。
【０００３】
また、テレビジョン受信装置に搭載されたチューナにおける電圧値を検出し、その電圧値に応じてチューナの製造元を判定するとともに、その判定結果をモニタに表示して作業者に通知することによって、作業者が製造元に応じたチューナのプリセット作業を正確に行うことを可能にする技術が知られている（例えば、特許文献１参照。）。
【０００４】
また、リモコン装置から各メーカーのＶＴＲ制御用のリモコンコードを順番に出力させて、その出力されたコードのメーカーとＶＴＲ装置のメーカーとが一致した場合に、ＶＴＲ装置のＣＰＵがそのメーカーに関するデータを不揮発性メモリに記憶させて、所定のリモコンコードを自動的に設定する技術が知られている（例えば、特許文献２参照。）。
また、レーザプリンタに装着されたカートリッジの識別コードを読み込み、その識別コードが予め記憶されている比較用コードと一致した場合に、レーザプリンタがそのカートリッジを使用して画像形成処理を行うことを可能にする技術が知られている（例えば、特許文献３参照。）。
【特許文献１】特開２０００−２９９８２３号公報
【特許文献２】特開平７−１３１７７５号公報
【特許文献３】特開２００５−１３４７１５号公報
【発明の開示】
【発明が解決しようとする課題】
【０００５】
しかしながら、作業者がメーカーのデバイスに合わせた設定や調整の入力を行う場合、作業者の入力ミスによってトラブルが生じてしまうことがあった。
また、上記特許文献１の場合、チューナの製造元の判定は、検出された１点の電圧値が所定範囲内に収まることに基づき行われるため、その判定精度が十分であるとはいえず、例えば、各メーカーのデバイスの仕様が類似している場合などに判定不能となることがあるので、作業者の入力ミスは低減するものの、トラブルが生じるおそれがあった。
【０００６】
本発明の目的は、装置に搭載されたデバイスをより正確に判別して、そのデバイスに応じた設定を行うことができるデバイス自動判別装置及びデバイス自動判別方法を提供することである。
【課題を解決するための手段】
【０００７】
以上の課題を解決するため、請求項１に記載の発明は、装置に搭載されたデバイスの種別を自動判別するデバイス自動判別装置であって、
装置に搭載されたデバイスに、少なくとも２種類の確認信号を出力する確認信号出力手段と、
前記確認信号出力手段により出力された確認信号に応じて、前記デバイスが出力した応答データを取得する応答データ取得手段と、
前記応答データ取得手段により取得された応答データが、予め登録されているデバイスに対応する応答データであるか否かを判断する判断手段と、
前記判断手段が、少なくとも２種類の確認信号に応じた応答データが、予め登録されている所定のデバイスに対応する応答データであると判断した場合に、前記デバイスが所定のデバイスであると判別して、前記装置における設定をそのデバイスに対応する設定に切り替えるデバイス設定制御手段と、
を備えることを特徴とする。
【０００８】
請求項２に記載の発明は、
装置に搭載されたデバイスの種別を自動判別するデバイス自動判別方法であって、
装置に搭載されたデバイスに、少なくとも２種類の確認信号を出力する確認信号出力工程と、
前記確認信号出力工程において出力された確認信号に応じて、前記デバイスが出力した応答データを取得する応答データ取得工程と、
前記応答データ取得工程において取得された応答データが、予め登録されているデバイスに対応する応答データであるか否かを判断する判断工程と、
前記判断工程において、少なくとも２種類の確認信号に応じた応答データが、予め登録されている所定のデバイスに対応する応答データであると判断された場合に、前記デバイスが所定のデバイスであると判別して、前記装置における設定をそのデバイスに対応する設定に切り替えるデバイス設定工程と、
を備えることを特徴とする。
【発明の効果】
【０００９】
請求項１に記載の発明によれば、デバイス自動判別装置は、装置に搭載されたデバイスに、少なくとも２種類の確認信号を出力し、その確認信号に応じてデバイスが出力した応答データを取得することができる。そして、デバイス自動判別装置は、その取得した応答データが予め登録されている所定のデバイスに対応する応答データであると判断した場合に、その装置に搭載されているデバイスが所定のデバイスであると判別することができ、装置における設定をそのデバイスに対応する設定に切り替えることができる。
特に、デバイス自動判別装置は、２種類以上の確認信号に対応するデバイスからのそれぞれの応答データが、所定のデバイスに対応する応答データであると判断することができた場合に、そのデバイスの種別を判別するので、従来技術において電圧値１点の検出に伴い判別を行う装置に比べて、より正確な判別を行うことが可能になっている。
そして、デバイス自動判別装置は、装置に搭載されたデバイスの種別を自動的に判別すると、そのデバイスに対応するようにデバイス自動判別装置の設定（例えば、そのデバイスの制御に関する設定）を自動的に切り替えて、そのデバイスが好適に機能する設定とすることができる。そして、デバイス自動判別装置は、良好に動作することが可能になる。
このように、本発明に係るデバイス自動判別装置によれば、その装置に搭載されたデバイスをより正確に判別して、そのデバイスに応じた設定を行うことができ、デバイス自動判別装置を良好に動作させることができる。
【００１０】
請求項２に記載の発明によれば、デバイス自動判別方法に従って、装置に搭載されたデバイスに少なくとも２種類の確認信号を出力すると、その確認信号に応じてデバイスが出力した応答データを取得することができる。そして、その取得した応答データが予め登録されている所定のデバイスに対応する応答データであると判断することができた場合に、その装置に搭載されているデバイスが所定のデバイスであると判別することができ、装置における設定をそのデバイスに対応する設定に切り替えることができる。
特に、このデバイス自動判別方法は、２種類以上の確認信号に対応するデバイスからのそれぞれの応答データが、所定のデバイスに対応する応答データであると判断することができた場合に、そのデバイスの種別を判別するので、従来技術における電圧値１点の検出に伴い判別を行うことに比べて、より正確な判別を行うことが可能になっている。
そして、このデバイス自動判別方法によると、装置に搭載されたデバイスの種別を自動的に判別した場合に、そのデバイスに対応するように、その装置の設定（例えば、そのデバイスの制御に関する設定）を自動的に切り替えて、そのデバイスが好適に機能する設定とすることができる。
このように、本発明に係るデバイス自動判別方法によれば、その装置に搭載されたデバイスをより正確に判別して、そのデバイスに応じた設定を行うことができ、デバイスが搭載された装置を良好に動作させることができる。
【発明を実施するための最良の形態】
【００１１】
以下に、本発明に係るデバイス自動判別装置及びデバイス自動判別方法について、図面を用いて具体的な態様を説明する。ただし、発明の範囲は図示例に限定されない。
なお、本実施の形態においては、デバイス自動判別装置としてのテレビジョン受信装置と、そのテレビジョン受信装置に搭載された所定のデバイスを自動判別するデバイス自動判別方法を例に説明する。
【００１２】
テレビジョン受信装置１０は、図１に示すように、所望のチャンネルに対応する周波数帯域に存在する放送信号をアンテナ１を介して受信するデバイスであるチューナ２と、チューナ２により受信された放送信号に基づく映像を表示するモニタ３と、装置の各部を制御するマイコン５等を備えている。
【００１３】
チューナ２は、アンテナ１を介して所望の選局周波数に応じた放送信号を受信可能であり、受信した放送信号を高周波増幅し、さらに中間周波数に変換して、例えば、ワンチップＩＣ（図示省略）に出力する。
このチューナ２は、受信可能な多くのチャンネルの放送に関する複数の放送信号のなかから、リモコンなどから入力されたチャンネルに応じた放送信号を選択するようにして放送番組を切り替える選局処理を行う。
そして、チューナ２から出力された中間周波信号をワンチップＩＣ（図示省略）が中間周波増幅した後、検波を経て各種の信号処理を施して映像信号に変換するとともに、その映像信号をモニタ３に出力する。また、そのワンチップＩＣは、入力された中間周波信号に所定の信号処理を施して得られた音声信号を、図示しないスピーカに出力する。
なお、このテレビジョン受信装置１０用のチューナとしては、例えば、「デバイスＡ」タイプと「デバイスＢ」タイプとが採用されており、その何れかのタイプ（種別）のチューナ２が、テレビジョン受信装置１０に搭載されるようになっている。そして、テレビジョン受信装置１０に搭載された何れかのチューナの種別（デバイスＡ、デバイスＢ）に応じた設定がなされて、テレビジョン受信装置１０が所定の動作を行うようになっている。
【００１４】
モニタ３は、例えば、液晶表示機器であり、アンテナ１を介してチューナ２が受信した放送信号に応じた映像や画像を表示する。
【００１５】
マイコン５は、テレビジョン受信装置１０を動作制御するための各種データやプログラム等を記憶するメモリＩＣ５ａを有している。
そして、マイコン５は、例えば、図示しないリモコンや装置本体のチャンネルボタンが操作されたことに伴うチャンネル信号に基づき、所定の記憶手段におけるチャンネルデータ記憶領域に記憶されている複数チャンネルの周波数データに応じて所定のチャンネルを選局し、選局されたチャンネルの周波数に応じた放送信号をチューナ２に受信させて、その受信された放送信号に応じた映像や画像をモニタ３に表示する制御を実行する。
【００１６】
特に、本発明に係るテレビジョン受信装置１０におけるマイコン５は、装置に搭載されたデバイスの種別を自動的に判別するデバイス自動判別処理に関する制御を実行する。
具体的に、マイコン５は、テレビジョン受信装置１０に搭載されたデバイスであるチューナ２に、少なくとも２種類の確認信号（例えば、Ｈｉｇｈ信号とＬｏｗ信号）を出力する確認信号出力手段として機能する。なお、デバイスである各種チューナに応じた確認信号を出力するためのデータ（例えば、Ｓｌａｖｅアドレスなど）等は、所定の記憶手段（例えば、メモリＩＣ５ａ）に記憶されている。
また、マイコン５は、確認信号出力手段としてのマイコン５により出力された確認信号に応じて、チューナ２が出力した応答データを取得する応答データ取得手段として機能する。なお、このマイコン５と、判別を行う対象のチューナ２（デバイス）との間には、Ｉ２Ｃ−ＢＵＳラインが設けられており、チューナ２（デバイス）に予め設定されている入力ポートの状態をＩ２Ｃ−ＢＵＳデータに変換して、チューナ２からマイコン５へ送信可能となっている。
また、マイコン５は、応答データ取得手段としてのマイコン５により取得された応答データが、所定の記憶手段に予め登録されているチューナ（デバイス）に対応する応答データであるか否かを判断する判断手段として機能する。なお、例えば、テレビジョン受信装置１０に搭載されているチューナ２が、デバイスＡタイプであるかデバイスＢタイプであるかを判別する場合、「デバイスＡ」用の応答データと「デバイスＢ」用の応答データとが、その記憶手段の所定領域に予め記憶されて登録されている。
また、マイコン５は、判断手段としてのマイコン５が、少なくとも２種類の確認信号に応じた応答データが予め登録されているチューナ（デバイス）に対応する応答データであると判断した場合に、テレビジョン受信装置１０に搭載されているチューナ２が、その確認信号に対応する所定のチューナ（デバイス）であると判別して、装置１０における設定をそのチューナ（デバイス）に対応する設定に切り替えるデバイス設定制御手段として機能する。
【００１７】
次に、テレビジョン受信装置１０において、その装置１０に搭載されているデバイスであるチューナの種別を自動的に判別するデバイス自動判別処理工程について、図２に示すフローチャートに基づき説明する。
【００１８】
テレビジョン受信装置１０のマイコン５がリセットされた後の復帰（再起動）時、もしくはマイコン５がリセットされた後のＰｏｗｅｒ−ＯＮ直後に、まず、マイコン５は、Ｓｌａｖｅアドレスを「デバイスＡ」に設定する（ステップＳ１０１）。
そして、マイコン５は、設定されたＳｌａｖｅアドレスに応じた確認信号“Ｈ”（Ｈｉｇｈ信号）をマイコン出力ポートからチューナ２に出力する（ステップＳ１０２：確認信号出力工程）。
次いで、マイコン５は、チューナ２のデバイスＩＣ２ａが確認信号“Ｈ”に応じて出力した応答データであるデバイスデータをＩ２Ｃ−ＢＵＳラインを介して読み込み、取得する（ステップＳ１０３：応答データ取得工程）。
【００１９】
次いで、マイコン５は、確認信号“Ｈ”に基づいて取得したデバイスデータ（Ｒｅａｄデータ）が、予め登録されている「デバイスＡ」であるチューナに対応するデバイスデータであるか否かを判断する（ステップＳ１０４：判断工程）。
マイコン５が、確認信号“Ｈ”に基づき取得したデバイスデータ（Ｒｅａｄデータ）は「デバイスＡ」であるチューナに対応するデバイスデータではない、そのデバイスデータは「デバイスＡ」によるものではないと判断すると（ステップＳ１０４；Ｎｏ）、ステップＳ１０９へ進む。
【００２０】
一方、マイコン５が、確認信号“Ｈ”に基づき取得したデバイスデータ（Ｒｅａｄデータ）は「デバイスＡ」であるチューナに対応するデバイスデータである、そのデバイスデータは「デバイスＡ」によるものであると判断すると（ステップＳ１０４；Ｙｅｓ）、マイコン５は、設定されたＳｌａｖｅアドレスに応じた確認信号“Ｌ”（Ｌｏｗ信号）をマイコン出力ポートからチューナ２に出力する（ステップＳ１０５：確認信号出力工程）。
次いで、マイコン５は、チューナ２のデバイスＩＣ２ａが確認信号“Ｌ”に応じて出力した応答データであるデバイスデータをＩ２Ｃ−ＢＵＳラインを介して読み込み、取得する（ステップＳ１０６：応答データ取得工程）。
【００２１】
次いで、マイコン５は、確認信号“Ｌ”に基づいて取得したデバイスデータ（Ｒｅａｄデータ）が、予め登録されている「デバイスＡ」であるチューナに対応するデバイスデータであるか否かを判断する（ステップＳ１０７：判断工程）。
マイコン５が、確認信号“Ｌ”に基づき取得したデバイスデータ（Ｒｅａｄデータ）は「デバイスＡ」であるチューナに対応するデバイスデータではない、そのデバイスデータは「デバイスＡ」によるものではないと判断すると（ステップＳ１０７；Ｎｏ）、ステップＳ１０９へ進む。
【００２２】
一方、マイコン５が、確認信号“Ｌ”に基づき取得したデバイスデータ（Ｒｅａｄデータ）は「デバイスＡ」であるチューナに対応するデバイスデータである、そのデバイスデータは「デバイスＡ」によるものであると判断すると（ステップＳ１０７；Ｙｅｓ）、ステップＳ１０８へ進む。
【００２３】
ステップＳ１０８において、マイコン５は、テレビジョン受信装置１０に搭載されているメモリ２は、設定されているＳｌａｖｅアドレスに対応する「デバイスＡ」であると判別して、そのデバイスＡに関するデバイスデータをメモリＩＣ５ａの所定の領域に記憶する。そして、テレビジョン受信装置１０は、メモリＩＣ５ａに記憶されたデバイスＡに関するデバイスデータに基づき、テレビジョン受信装置１０における設定をデバイスＡに対応する設定に切り替えて（ステップＳ１０８：デバイス設定工程）、デバイスの自動判別処理を終了する。
【００２４】
また、ステップＳ１０９において、マイコン５は、Ｓｌａｖｅアドレスを「デバイスＢ」に設定変更して（ステップＳ１０９）、ステップＳ１０２に戻る。
そして、ステップＳ１０２からステップＳ１０８において、マイコン５は、設定されたＳｌａｖｅアドレス（デバイスＢ）に関しても同様の処理を繰り返す。
つまり、マイコン５は、Ｓｌａｖｅアドレス（デバイスＢ）に応じて出力される確認信号“Ｈ”や“Ｌ”に伴い、チューナ２（チューナＩＣ２ａ）が出力する応答データであるデバイスデータを取得し、その取得したデバイスデータが予め登録されている「デバイスＢ」であるチューナに対応するデバイスデータか否かを判断するようにして、テレビジョン受信装置１０に搭載されているメモリ２が、設定されているＳｌａｖｅアドレスに対応する「デバイスＢ」であるか否か判別する処理を行う。
【００２５】
なお、このテレビジョン受信装置１０には、「デバイスＡ」タイプのチューナと「デバイスＢ」タイプのチューナの何れかが搭載されるので、「デバイスＡ」と「デバイスＢ」の何れかに判別されるようになっている。
ただし、チューナの不具合などによって、何れのデバイスにも判別されない場合には、エラー警告を行い、テレビジョン受信装置１０の故障トラブルを報知するようにすればよい。
【００２６】
このように、テレビジョン受信装置１０は、装置１０に搭載されたチューナ２が、デバイスＡタイプのチューナか、デバイスＢタイプのチューナかを自動で判別することができる。
特に、テレビジョン受信装置１０は、２つの確認信号（Ｈｉｇｈ信号とＬｏｗ信号）に対応するチューナ２からのそれぞれの応答データのどちらもが、所定の応答データであると判断することができた場合に、そのチューナ２のデバイスタイプを判別するので、従来技術の電圧値１点の検出に伴う判断に比べて、より正確な判別を行うことが可能になっている。
そして、テレビジョン受信装置１０は、装置１０に搭載されたチューナ２のデバイスタイプを自動判別すると、そのチューナ２のデバイスタイプに対応するようにテレビジョン受信装置１０の設定（具体的には、チューナ２の制御に関する設定）を自動的に切り替えて、そのチューナ２が好適に機能する設定とすることができる。そして、テレビジョン受信装置１０は、良好に動作することが可能になる。
【００２７】
以上のように、本発明に係るテレビジョン受信装置１０及びチューナの種別を自動的に判別するデバイス自動判別方法によれば、その装置１０に搭載されたチューナの種別をより正確に判別して、そのチューナに応じた設定を行うことができ、テレビジョン受信装置１０を良好に動作させることができる。
【００２８】
なお、以上の実施の形態においては、デバイスとしてチューナを一例に挙げて説明したが、本発明はこれに限定されるものではなく、デバイスとしてのポートＩＣなどを判別する技術に適用してもよい。
【００２９】
また、以上の実施の形態においては、２つのデバイスタイプを判別する場合を例に挙げて説明したが、本発明はこれに限定されるものではなく、３種以上のデバイスタイプを判別する技術に適用してもよい。
また、以上の実施の形態においては、Ｈｉｇｈ信号とＬｏｗ信号の２つの確認信号に応じたそれぞれの応答データに基づき判定、判別を行うことを例に挙げて説明したが、本発明はこれに限定されるものではなく、Ｈｉｇｈ信号、Ｍｉｄｄｌｅ信号、Ｌｏｗ信号など、３つ以上の確認信号を出力しての判定、判別を行うようにしてもよい。
【００３０】
また、その他、具体的な細部構造等についても適宜に変更可能であることは勿論である。
【図面の簡単な説明】
【００３１】
【図１】本発明に係るテレビジョン受信装置の要部構成を示すブロック図である。
【図２】本発明に係るテレビジョン受信装置におけるチューナの自動判別方法の処理工程を示すフローチャートである。
【符号の説明】
【００３２】
１      アンテナ
２      チューナ（デバイス）
２ａ    デバイスＩＣ
３      モニタ
５      マイコン（確認信号出力手段、応答データ取得手段、判断手段、デバイス設定制御手段）
５ａ    メモリＩＣ
１０    テレビジョン受信装置（デバイス自動判別装置）
【図１】
2008078782.tif 000003
【図２】
2008078782.tif 000004